(57)【要約】【課題】昇降機の優先度の変化に対応して作業者が担当する昇降機を決定することができる昇降機用復旧支援システムを得る。【解決手段】作業者の位置を示す作業者位置情報、復旧作業が必要な複数のエレベーター１１のそれぞれの位置を示す複数の昇降機位置情報および複数のエレベーター１１のそれぞれの優先度を示す複数の優先度情報を用いて、作業者が担当するエレベーター１１を決定する担当決定装置３１を備え、担当決定装置３１は、エレベーター１１の復旧作業が完了した場合に、復旧作業が完了したエレベーター１１を担当した作業者が次に担当するエレベーター１１を決定する時の作業者位置情報、複数の昇降機位置情報および複数の優先度情報を用いて、作業者が次に担当するエレベーター１１を決定する。【選択図】図１
2017218302.tif 000002
【特許請求の範囲】
【請求項１】
作業者の位置を示す作業者位置情報、復旧作業が必要な複数の昇降機のそれぞれの位置を示す複数の昇降機位置情報および複数の前記昇降機のそれぞれの優先度を示す複数の優先度情報を用いて、前記作業者が担当する前記昇降機を決定する担当決定装置を備え、
前記担当決定装置は、前記昇降機の復旧作業が完了した場合に、復旧作業が完了した前記昇降機を担当した前記作業者が次に担当する前記昇降機を決定する時の前記作業者位置情報、複数の前記昇降機位置情報および複数の前記優先度情報を用いて、前記作業者が次に担当する前記昇降機を決定する昇降機用復旧支援システム。
【請求項２】
前記担当決定装置は、複数の前記作業者のそれぞれの位置を示す複数の前記作業者位置情報、複数の前記昇降機位置情報および複数の前記優先度情報を用いて、前記作業者が次に担当する前記昇降機を決定する請求項１に記載の昇降機用復旧支援システム。
【請求項３】
前記作業者に所持される携帯端末装置をさらに備え、
前記携帯端末装置には、前記携帯端末装置を所持する前記作業者が次に担当する前記昇降機を前記担当決定装置が決定した場合に、担当が決定された前記昇降機を特定する昇降機特定情報または担当が決定された前記昇降機の前記昇降機位置情報が入力される請求項１または請求項２に記載の昇降機用復旧支援システム。
【請求項４】
前記担当決定装置は、前記昇降機の復旧作業が完了した場合に、復旧作業が完了した前記昇降機の前記昇降機位置情報を、復旧作業が完了した前記昇降機を担当した前記作業者が次に担当する前記昇降機を決定する時の前記作業者位置情報として用いて、前記作業者が次に担当する前記昇降機を決定する請求項１から請求項３までの何れか一項に記載の昇降機用復旧支援システム。
【発明の詳細な説明】
【技術分野】
【０００１】
この発明は、復旧作業を行う作業者が担当する昇降機を決定する昇降機用復旧支援システムに関する。
【背景技術】
【０００２】
従来、作業者の位置情報、復旧作業が必要な複数の昇降機のそれぞれの位置を示す複数の位置情報およびそれぞれの昇降機のそれぞれの優先度を示す複数の優先度情報を用いて、作業者が担当する昇降機の巡回ルートを決定し、決定された巡回ルートの情報が、作業者に所持される携帯端末装置に入力される昇降機用復旧支援システムが知られている（例えば、特許文献１参照）。
【先行技術文献】
【特許文献】
【０００３】
【特許文献１】特開２０１３−２２４１９２号公報
【発明の概要】
【発明が解決しようとする課題】
【０００４】
しかしながら、作業者が担当する昇降機の巡回ルートが決定され、作業者が巡回ルートにしたがって複数の昇降機の復旧作業を順に行っている間に、まだ復旧作業が行われていない昇降機の優先度が変化した場合に、作業者が担当する昇降機を優先度の変化に対応して決定することができないという問題点があった。
【０００５】
この発明は、昇降機の優先度の変化に対応して作業者が担当する昇降機を決定することができる昇降機用復旧支援システムを提供するものである。
【課題を解決するための手段】
【０００６】
この発明に係る昇降機用復旧支援システムは、作業者の位置を示す作業者位置情報、復旧作業が必要な複数の昇降機のそれぞれの位置を示す複数の昇降機位置情報および複数の昇降機のそれぞれの優先度を示す複数の優先度情報を用いて、作業者が担当する昇降機を決定する担当決定装置を備え、担当決定装置は、昇降機の復旧作業が完了した場合に、復旧作業が完了した昇降機を担当した作業者が次に担当する昇降機を決定する時の作業者位置情報、複数の昇降機位置情報および複数の優先度情報を用いて、作業者が次に担当する昇降機を決定する。
【発明の効果】
【０００７】
この発明に係る昇降機用復旧支援システムによれば、復旧作業が完了した昇降機を担当した作業者が次に担当する昇降機を決定する時の作業者位置情報、複数の昇降機位置情報および複数の優先度情報を用いて、作業者が次に担当する昇降機が決定されるので、昇降機の優先度の変化に対応して作業者が担当する昇降機を決定することができる。
【図面の簡単な説明】
【０００８】
【図１】この発明の実施の形態１に係る昇降機用復旧支援システムを示すブロック図である。
【図２】図１の昇降機用復旧支援システムの動作を示すフローチャートである。
【発明を実施するための形態】
【０００９】
実施の形態１．
図１はこの発明の実施の形態１に係る昇降機用復旧支援システムを示すブロック図である。図において、昇降機用復旧支援システムは、複数の建物１のそれぞれに設けられた複数の昇降機であるエレベーター１１と、それぞれのエレベーター１１を監視する複数の監視装置１２と、複数の作業者のそれぞれに所持される複数の携帯端末装置２と、情報センタ３に設けられ、それぞれの監視装置１２およびそれぞれの携帯端末装置２との間で通信を行い、復旧作業が必要とされている複数のエレベーター１１の中で作業者が担当するエレベーター１１を決定する担当決定装置３１とを備えている。図１では、エレベーター１１、監視装置１２および携帯端末装置２を２個ずつ示しているが、エレベーター１１、監視装置１２および携帯端末装置２の数は、３個以上であってもよい。また、図１では、建物１の中に１つのエレベーター１１が設けられている構成を示しているが、建物１の中に複数のエレベーター１１が設けられている構成であってもよい。
【００１０】
監視装置１２は、エレベーター１１を常時監視しており、エレベーター１１の運行状態の情報を担当決定装置３１に送信する。監視装置１２は、地震の発生によってエレベーター１１が運転休止し、エレベーター１１に復旧作業が必要である場合に、復旧作業が必要であることを示す要復旧信号と、復旧作業が必要なエレベーター１１を特定する情報である昇降機特定情報とを担当決定装置３１に送信する。
【００１１】
携帯端末装置２は、携帯端末装置２を特定する情報である携帯端末特定情報および携帯端末装置２の位置を示す情報である携帯端末位置情報を担当決定装置３１に送信する。携帯端末装置２は、作業者が携帯端末装置２を操作することによって、携帯端末特定情報および携帯端末位置情報を担当決定装置３１に送信する。作業者は、作業者が復旧作業を行うエレベーター１１を知るために携帯端末装置２を操作する。
【００１２】
担当決定装置３１は、それぞれのエレベーター１１の昇降機位置情報と、それぞれのエレベーター１１の昇降機特定情報とを対応させて記憶している。また、担当決定装置３１は、携帯端末装置２の携帯端末特定情報と、携帯端末装置２を所持する作業者を特定する情報である作業者特定情報とを対応させて記憶している。
【００１３】
担当決定装置３１は、携帯端末特定情報および携帯端末位置情報を受信した場合に、受信した携帯端末特定情報に対応する作業者特定情報によって特定される作業者の位置を示す作業者位置情報として、受信した携帯端末位置情報を用いる。なお、担当決定装置３１は、エレベーター１１の復旧作業が完了した場合に、復旧作業が完了したエレベーター１１の昇降機位置情報を、復旧作業が完了したエレベーター１１を担当した作業者の作業者位置情報として用いてもよい。
【００１４】
担当決定装置３１は、監視装置１２から要復旧信号および昇降機特定情報を受信し、携帯端末装置２から携帯端末特定情報および携帯端末位置情報を受信した場合に、昇降機特定情報に対応する昇降機位置情報、携帯端末特定情報に対応する作業者特定情報および作業者位置情報として用いられる携帯端末位置情報を用いて、作業者が担当するエレベーター１１を決定する。担当決定装置３１は、復旧作業が必要とされている複数のエレベーター１１の中であって、他の作業者よりもその作業者の近くにある複数のエレベーター１１の中で、その作業者の位置に最も近い位置にあるエレベーター１１を、作業者が担当するエレベーター１１として決定する。
【００１５】
また、担当決定装置３１は、それぞれのエレベーター１１のそれぞれの優先度を示す複数の優先度情報と、複数のエレベーター１１のそれぞれの昇降機特定情報とを対応させて記憶している。この例では、優先度として、標準または上位が設定されている。優先度が上位のエレベーター１１は、優先度が標準のエレベーター１１よりも先に復旧作業が行われる。優先度が標準のエレベーター１１は、優先度が上位である全てのエレベーター１１の復旧作業が行われた後に、復旧作業が行われる。
【００１６】
優先度が上位のエレベーター１１としては、病院、官公庁物件、公共施設などに設置されているエレベーター１１が挙げられる。
【００１７】
また、優先度が上位のエレベーター１１としては、建物１の管理者から電話などによって復旧作業の催促があったエレベーター１１、閉込故障が発生したエレベーター１１などが挙げられる。優先度が標準のエレベーター１１は、復旧作業の催促がある場合、閉込故障が発生した場合などに、優先度が上位のエレベーター１１となる。つまり、エレベーター１１の優先度は変更可能となっている。エレベーター１１の優先度情報は、監視装置１２から担当決定装置３１に送信されてもよく、また、情報センタ３における管理者が担当決定装置３１を操作することによって担当決定装置３１に入力されてもよい。
【００１８】
なお、この実施の形態１では、優先度として、標準または上位が設定されている構成について説明するが、優先度として、標準、上位または最上位などに設定されている構成であってもよい。
【００１９】
次に、昇降機用復旧支援システムの動作について説明する。図２は図１の昇降機用復旧支援システムの動作を示すフローチャートである。ステップＳ１０１において、上位優先度昇降機有無判定工程を行う。上位優先度昇降機有無判定工程では、担当決定装置３１は、復旧作業が必要とされている複数のエレベーター１１の中で優先度が上位のエレベーター１１があるか否かを判定する。
【００２０】
ステップＳ１０１において、優先度が上位のエレベーター１１があると判定されると、ステップＳ１０２において、作業者決定工程を行う。作業者決定工程では、担当決定装置３１は、復旧作業が必要とされている複数のエレベーター１１であって優先度が上位の複数のエレベーター１１の昇降機位置情報と、複数の作業者の作業者位置情報とを用いて、その作業者が担当するエレベーター１１を決定する。作業者が担当するエレベーター１１が決定されると、携帯端末装置２には、担当が決定されたエレベーター１１を特定する昇降機特定情報または担当が決定されたエレベーター１１の昇降機位置情報が入力される。
【００２１】
その後、ステップＳ１０３において、復旧完了登録有無判定工程を行う。復旧完了登録有無判定工程では、担当決定装置３１は、作業者が携帯端末装置２を操作することによって、復旧完了登録がされたか否かを判定する。ステップＳ１０３において、復旧完了登録がされていないと判定された場合には、ステップＳ１０３が繰り返される。一方、ステップＳ１０３において、復旧完了登録がされていると判定された場合に、ステップＳ１０１に戻る。ステップＳ１０１では、新たな優先度情報が用いられる。
【００２２】
ステップＳ１０１において、復旧作業が必要とされている複数のエレベーター１１の中で優先度が上位のエレベーター１１がないと判定されると、ステップＳ１０４において、標準優先度昇降機有無判定工程を行う。標準優先度昇降機有無判定工程では、担当決定装置３１は、復旧作業が必要とされている複数のエレベーター１１の中で優先度が標準のエレベーター１１があるか否かを判定する。
【００２３】
ステップＳ１０４において、優先度が標準のエレベーター１１があると判定されると、ステップＳ１０５において、作業者決定工程を行う。作業者決定工程では、担当決定装置３１は、復旧作業が必要とされているエレベーター１１であって優先度が標準の複数のエレベーター１１の昇降機位置情報と、複数の作業者の作業者位置情報とを用いて、その作業者が担当するエレベーター１１を決定する。作業者が担当するエレベーター１１が決定されると、携帯端末装置２には、担当が決定されたエレベーター１１を特定する昇降機特定情報または担当が決定されたエレベーター１１の昇降機位置情報が入力される。
【００２４】
その後、ステップＳ１０６において、復旧完了登録有無判定工程を行う。復旧完了登録有無判定工程では、担当決定装置３１は、作業者が携帯端末装置２を操作することによって、復旧完了登録がされたか否かを判定する。ステップＳ１０６において、復旧完了登録がされていないと判定された場合には、ステップＳ１０６が繰り返される。一方、ステップＳ１０６において、復旧完了登録がされていると判定された場合に、ステップＳ１０１に戻る。ステップＳ１０１では、新たな優先度情報が用いられる。
【００２５】
一方、ステップＳ１０４において、優先度が標準のエレベーター１１がないと判定されると、復旧作業が必要とされているエレベーター１１がないので、昇降機用復旧支援システムの動作が終了する。
【００２６】
以上説明したように、この発明の実施の形態１に係る昇降機用復旧支援システムによれば、作業者の作業者位置情報、復旧作業が必要な複数のエレベーター１１のそれぞれの昇降機位置情報および複数のエレベーター１１のそれぞれの優先度情報を用いて、作業者が担当するエレベーター１１を決定する担当決定装置３１を備え、担当決定装置３１は、エレベーター１１の復旧作業が完了した場合に、復旧作業が完了したエレベーター１１を担当した作業者が次に担当するエレベーター１１を決定する時の作業者位置情報、複数の昇降機位置情報および複数の優先度情報を用いて、作業者が次に担当するエレベーター１１を決定するので、エレベーター１１の優先度の変化に対応して作業者が担当するエレベーター１１を決定することができる。
【００２７】
また、担当決定装置３１は、複数の作業者のそれぞれの位置を示す複数の作業者位置情報、複数の昇降機位置情報および複数の優先度情報を用いて、その作業者が次に担当するエレベーター１１を決定するので、複数の作業者が複数のエレベーター１１の復旧作業を別々に行う場合に、それぞれの作業者が担当するエレベーター１１を効率よく決定することができる。
【００２８】
また、この昇降機用復旧支援システムは、作業者に所持される携帯端末装置２を備え、携帯端末装置２には、携帯端末装置２を所持する作業者が次に担当するエレベーター１１を担当決定装置３１が決定した場合に、担当が決定されたエレベーター１１を特定する昇降機特定情報または担当が決定されたエレベーター１１の昇降機位置情報が入力されるので、作業者が次に担当するエレベーター１１を、作業者に効率よく知らせることができる。
【００２９】
また、担当決定装置３１は、エレベーター１１の復旧作業が完了した場合に、復旧作業が完了したエレベーター１１の昇降機位置情報を、復旧作業が完了したエレベーター１１を担当した作業者が次に担当するエレベーター１１を決定する時の作業者位置情報として用いて、作業者が次に担当するエレベーター１１を決定するので、担当決定装置３１は、より正確な作業者位置情報を用いて、作業者が次に担当するエレベーター１１を決定することができる。
【００３０】
なお、上記実施の形態１では、昇降機としてエレベーターを例に説明したが、これに限らず、例えば、エスカレーターであってもよい。
【符号の説明】
【００３１】
１  建物、２  携帯端末装置、３  情報センタ、１１  エレベーター（昇降機）、１２  監視装置、３１  担当決定装置。
【図１】
2017218302.tif 000003
【図２】
2017218302.tif 000004